(57)【要約】【課題】本発明は、キーレス装置に組み込まれて、ロック・アンロック状態を音声警報で知らせるようにした音声アンサーバック装置に係り、特にユーザーが好みに応じた警報音声を適宜組み込むことができるものを提供する。【解決手段】かゝる本発明は、リモコン１１０から送信される信号により車両ドアを施解錠するキーレス装置１００に組み込まれると共に、外部から入力される音声を符号化する音声符号化部２１０と、符号化されたデジタル音声データを保存するメモリー部２２１〜２２２と、キーレス装置１００の施解錠に対応してメモリー部２２１〜２２２のデジタル音声データをアナログ音声データに変換して出力する音声復号化部２３０と、アナログ音声データにより音声警報を発するスピーカ２５０と、制御用のコントローラ２６０とからなる音声アンサーバック装置２００にあり、これにより、ロック・アンロック状態を音声警報で知らせることができる。【選択図】　図１
2004019334.tif 000002
【特許請求の範囲】
【請求項１】
リモコンから送信される信号により車両ドアを施解錠するキーレス装置に組み込まれて、当該キーレス装置の施解錠時に予め格納されているメモリー部のデジタル音声データをアナログ音声データに変換して音声警報を発することを特徴とする音声アンサーバック装置。
【請求項２】
リモコンから送信される信号により車両ドアを施解錠するキーレス装置に組み込まれると共に、外部から入力される音声を符号化する音声符号化部と、符号化されたデジタル音声データを保存するメモリー部と、前記キーレス装置の施解錠に対応して前記メモリー部のデジタル音声データをアナログ音声データに変換して出力する音声復号化部と、アナログ音声データにより音声警報を発するスピーカと、制御用のコントローラとからなることを特徴とする音声アンサーバック装置。
【請求項３】
前記メモリー部を、施錠時のデジタル音声データを保存するロックメモリー部と解錠時のデジタル音声データを保存するアンロックメモリー部に区分していることを特徴とする請求項２記載の音声アンサーバック装置。
【請求項４】
外付けの補助録音ユニットを介して、外部の音声データ供給機器からの音声を、前記音声符号化部に入力させることを特徴とする請求項２又は３記載の音声アンサーバック装置。
【請求項５】
前記補助録音ユニットが、ケーブル用の接続部とメモリー切換部とメモリー切換状態を表示する表示部とを有することを特徴とする請求項４記載の音声アンサーバック装置。
【請求項６】
前記補助録音ユニットとスピーカ間に警報発生テストラインを付設して、外部の音声データ供給機器からの音声入力時、テスト音声出力することを特徴とする請求項４又は５記載の音声アンサーバック装置。
【請求項７】
前記補助録音ユニットにマルチ音声データ保存用の切換スイッチを設けて、前記メモリー部に複数のデジタル音声データを保存する一方、前記補助録音ユニットにマルチ音声データ選択用の操作切換スイッチを設けて、適宜デジタル音声データを選択することを特徴とする請求項４、５又は６記載の音声アンサーバック装置。
【請求項８】
前記リモコンの操作回数を検出する操作回数検出部を設け、短時間内に所定の操作回数があったとき、音声警報を停止させることを特徴とする請求項２、３、４、５、６又は７記載の音声アンサーバック装置。
【請求項９】
前記リモコンの操作回数を検出する操作回数検出部を設け、短時間内に所定の操作回数があったとき、音声警報を発生させることを特徴とする請求項２、３、４、５、６又は７記載の音声アンサーバック装置。
【発明の詳細な説明】
【０００１】
【発明の属する技術分野】
本発明は、リモコン操作により施錠又は解錠、つまり施解錠が行われるキーレス装置において、ロック・アンロック状態を音声警報で知らせるようにした音声アンサーバック装置に係り、特にユーザーが好みに応じた警報音声を適宜組み込むことができるようにしたものも含むものである。
【０００２】
キーレス装置は、通常リモコン（小型の送信機）の操作により車両ドアをロック（施錠）し、又はアンロック（解錠）することが主動作であるが、近年はこれに種々の付属動作をする装置を付加することがよく行われている。例えばロック時にハザードランプなどを点滅させる手段などである。
【０００３】
というのは、キーレス装置の駆動音（施錠時、解錠時の動作音）は、車内や車両近傍では十分ユーザー（操作者）に聞き取れるレベルの音であるが、周囲の騒音レベルが高かったり、ユーザーが車両から比較的離れているときには、よく聞き取れず、ロック忘れが生じるなどの懸念があった。これに対して、ランプの点滅方式を付設導入すれば、ユーザーはロック状態を確実に視認することができ、ロック忘れの防止ともなり、高い安全性が得られる。
【０００４】
【発明が解決しようとする課題】
ところが、このようなランプ点滅方式の場合、ユーザーは最小限車両側のランプ部分を注視する必要があり、また、昼間などの明るい環境下では、ランプの点滅自体が確認がし難い状況となる場合もある。
【０００５】
本発明は、このような従来のキーレス装置において、さらに、単独又は従来のランプ点滅方式などと組み合わせるなどして、施解錠時にロック・アンロック状態を音声警報で知らせる一方、必要により、ユーザーが好みに応じた警報音声を適宜組み込めるようにした、音声アンサーバック装置を提供せんとするものである。
【０００６】
【課題を解決するための手段】
請求項１記載の本発明は、リモコンから送信される信号により車両ドアを施解錠するキーレス装置に組み込まれて、当該キーレス装置の施解錠時に予め格納されているメモリー部のデジタル音声データをアナログ音声データに変換して音声警報を発することを特徴とする音声アンサーバック装置にある。
【０００７】
請求項２記載の本発明は、リモコンから送信される信号により車両ドアを施解錠するキーレス装置に組み込まれると共に、外部から入力される音声を符号化する音声符号化部と、符号化されたデジタル音声データを保存するメモリー部と、キーレス装置の施解錠に対応して前記メモリー部のデジタル音声データをアナログ音声データに変換して出力する音声復号化部と、アナログ音声データにより音声警報を発するスピーカと、制御用のコントローラとからなることを特徴とする音声アンサーバック装置にある。
【０００８】
請求項３記載の本発明は、前記メモリー部を、施錠時のデジタル音声データを保存するロックメモリー部と解錠時のデジタル音声データを保存するアンロックメモリー部に区分していることを特徴とする請求項２記載の音声アンサーバック装置にある。
【０００９】
請求項４記載の本発明は、外付けの補助録音ユニットを介して、外部の音声データ供給機器からの音声を、前記音声符号化部に入力させることを特徴とする請求項２又は３記載の音声アンサーバック装置にある。
【００１０】
請求項５記載の本発明は、前記補助録音ユニットが、ケーブル用の接続部とメモリー切換部とメモリー切換状態を表示する表示部とを有することを特徴とする請求項４記載の音声アンサーバック装置にある。
【００１１】
請求項６記載の本発明は、前記録音ユニットとスピーカ間に警報発生テストラインを付設して、外部の音声データ供給機器からの音声入力時、テスト音声出力することを特徴とする請求項４又は５記載の音声アンサーバック装置にある。
【００１２】
請求項７記載の本発明は、前記補助録音ユニットにマルチ音声データ保存用の切換スイッチを設けて、前記メモリー部に複数のデジタル音声データを保存する一方、前記補助録音ユニットにマルチ音声データ選択用の操作切換スイッチを設けて、適宜デジタル音声データを選択することを特徴とする請求項４、５又は６記載の音声アンサーバック装置にある。
【００１３】
請求項８記載の本発明は、前記キーレス装置にリモコンの操作回数を検出する操作回数検出部を付設し、短時間内に所定の操作回数があったとき、音声警報を停止させることを特徴とする請求項２、３、４、５、６又は７記載の音声アンサーバック装置にある。
【００１４】
請求項９記載の本発明は、前記キーレス装置にリモコンの操作回数を検出する操作回数検出部を付設し、短時間内に所定の操作回数があったとき、音声警報を発生させることを特徴とする請求項２、３、４、５、６又は７記載の音声アンサーバック装置にある。
【００１５】
【発明の実施の形態】
図１は、本発明に係るキーレス装置における音声アンサーバック装置の一実施例を示したものである。図中、１００はキーレス装置で、１１０はロック信号ＳＬ　やアンロック信号ＳＵＬを送信するリモコン、１２０はアンテナ、１３０はリモコン１１０からの信号のロック・アンロック判別部、１４０はドアロックアクチュエータ制御部、１５０はロック爪やロック桿などからなるドアロックアクチュエータである。
【００１６】
このキーレス装置１００部分は、従来構造のものと同構造でよく、リモコン操作によりロック信号ＳＬ　やアンロック信号ＳＵＬを送信することで、ロック・アンロック判別部１３０により判別され、それに対応した駆動信号ＯＬ　，ＯＵＬが出力されるため、ドアロックアクチュエータ１５０が駆動されて、ドアの施錠や解錠が行われる。
【００１７】
２００はキーレス装置１００に付加される、本発明の音声アンサーバック装置である。２１０は外部から入力される音声を符号化するＡ／Ｄ変換器が内蔵された音声符号化部、２２１，２２２は符号化されたデジタル音声データを保存する不揮発性のメモリー部、２３０はキーレス装置１００の施解錠に対応してメモリー部２２１，２２２のデジタル音声データをアナログ音声データに変換して出力するＤ／Ａ変換器が内蔵された音声復号化部、２４０は音声復号化部２３０からのアナログ音声データを増幅する増幅器（アンプ）、２５０はアナログ音声データにより音声警報を発するスピーカ、２６０は各部を制御するためのＭＰＵなどが内蔵された制御用のコントローラ、２７０は各部の電源部、２８０は外付けの補助録音ユニット、２９０は補助録音ユニット２８０とスピーカ２５０間に付設された警報発生テストラインである。なお、３１０，３２０は音声符号化部２１０に外部からの音声を入力させるための機器、例えば小型のＣＤ再生装置、ＩＣメモリーやテープが内蔵されたレコーダなどの音声データ供給機器、再生機能内蔵のマイクロホンである。
【００１８】
上記メモリー部２２１，２２２は、図示の場合、施錠時の警報音声が格納されるロックメモリー部ＭＬ　と、解錠時の警報音声が格納されるアンロックメモリー部ＭＵＬとに分割表示してあるが、これらは一体のメモリー内において、内容的に分割された態様であってもよい。そして、少なくとも各メモリー部ＭＬ　，ＭＵＬには、１個の警報音声が格納されるものとする。なお、後述する別実施例のように、各メモリー部ＭＬ　，ＭＵＬに、種々のバラエティーに富んだ複数の警報音声が格納されるように構成することもできる。
【００１９】
いずれにしても、上記音声アンサーバック装置２００の主要部分は、図２に示すように、後付け可能なボックス型の本体ユニット４００内に収納される。補助録音ユニット２８０も、図２に示すように、小型のボックス型装置からなり、音声データ供給機器３１０，３２０のためのケーブル用の接続部２８１、押釦スイッチなどのメモリー切換部２８２、メモリー切換状態を表示する複数のＬＥＤ（３個）の内蔵された表示部２８３が設けてある。ここで、メモリー切換部２８２は、ケーブル用の接続部２８１への無接続時（音声データ供給機器３１０，３２０からのケーブルの接続前）にあっては、メモリー部２２１，２２２の切り換えスイッチとして機能し、ケーブル用の接続部２８１への接続後にあっては、音声データ供給機器３１０，３２０からの録音スイッチとして機能する。
【００２０】
また、このメモリー切換部２８２の操作に対応して、表示部２８３のＬＥＤは色分け発光する。即ち、施錠時の警報音声が保存されるメモリー部２２１（ロックメモリー部ＭＬ　）への切り換え時には、「緑色」に発光し、解錠時の警報音声が保存されるメモリー部２２２（アンロックメモリー部ＭＵＬ）への切り換え時には、「橙色」に発光し、警報音声の録音時には、「赤色」に発光する。この発光色の変化により、ユーザーは操作状態を間違うことなく、行うことができる。
【００２１】
そして、また、上記本体ユニット４００と補助録音ユニット２８０は、図２に示す、それぞれのケーブル４１０，２８４によりコネクタ接続などにより接続される。なお、本体ユニット４００は、その他のケーブル４２０により、上記キーレス装置１００に後付けされると共に、図２に示したスピーカ２５０の内蔵されたスピーカユニット５００とも接続される。
【００２２】
このように構成される音声アンサーバック装置２００において、所望の警報音声をメモリー部２２１，２２２に格納保存する場合には、次のようにして行えばよい。先ず、補助録音ユニット２８０のメモリー切換部２８２の押釦スイッチを押して、施錠時の警報音声の保存か、解錠時の警報音声の保存かを選択する。その後、ケーブル用の接続部２８１に、ＣＤ再生装置などの音声データ供給機器３１０やマイクロホン３２０の出力ケーブルを接続する。
【００２３】
例えば施錠時の警報音声、「ドアをロックしました」を格納保存するには、メモリー切換部２８２を押して、その切換え情報をコントローラ２６０に入力させる。これによりロックメモリー部ＭＬ　であるメモリー部２２１へのアクセスが可能となる。このとき、ＬＥＤの内蔵された表示部２８３は、「緑色」に発光する。この後、ケーブル用の接続部２８１に、音声データ供給機器３１０，３２０の出力ケーブルを接続し、メモリー切換部２８２を押し続ける。
【００２４】
そうすると、その切換え情報はコントローラ２６０に入力され、このときＬＥＤの内蔵された表示部２８３は、「赤色」に発光する。同時に、警報音声「ドアをロックしました」は音声符号化部２１０に入力され、符号化される一方、コントローラ２６０の働きにより、その符号化されたデジタル音声データはメモリー部２２１に格納保存される。勿論、このとき、音声データ供給機器３１０には、予め「ドアをロックしました」を録音しておき、再生可能の状態とする。マイクロホン３２０では、ユーザーは直接吹き込めばよい。
【００２５】
一方、例えば解錠時の警報音声、「ドアロックを解除しました」を格納保存するには、上記音声データ供給機器３１０，３２０の出力ケーブルを、補助録音ユニット２８０のケーブル用の接続部２８１から抜き取り、この後、メモリー切換部２８２を押して、その切換え情報をコントローラ２６０に入力させる。これによりアンロックメモリー部ＭＵＬであるメモリー部２２２へのアクセスが可能となる。このとき、ＬＥＤの内蔵された表示部２８３は、「橙色」に発光する。この後、ケーブル用の接続部２８１に、音声データ供給機器３１０，３２０の出力ケーブルを接続し、メモリー切換部２８２を再度押し続ける。
【００２６】
そうすると、その切換え情報はコントローラ２６０に入力され、このときＬＥＤの内蔵された表示部２８３は、「赤色」に発光する。同時に、警報音声「ドアロックを解除しました」は音声符号化部２１０に入力され、符号化される一方、コントローラ２６０の働きにより、符号化されたデジタル音声データはメモリー部２２２に格納保存される。
【００２７】
このときの警報音声の発生長さは、ほぼ数秒以内、長くとも１０秒以内であるため、ユーザーはその発声長さに合わせてメモリー切換部２８２を操作する必要がある。この作業を容易にするため、本発明では、補助録音ユニット２８０とスピーカ２５０間に警報発生テストライン２９０を付設して、音声入力時、音声警報を直接スピーカ２５０によりテスト音声出力させるようにしてある。
これにより、外部の音声データ供給機器３１０やマイクロホン３２０からの音声の頭出しや終了操作が簡単に行えるようになる。
【００２８】
このようにして、一旦所望の警報音声が、それぞれの対応するメモリー部２２１、２２２に保存されると、次回からのキーレス装置１００において、リモコン１１０を操作すると、そのロック信号ＳＬ　やアンロック信号ＳＵＬに対応して、「ドアをロックしました」や「ドアロックを解除しました」の音声警報が発せられる。これにより、ユーザーは、ドアのロックやアンロックの状態を聴覚的に知ることができる。したがって、音声警報の音圧レベルにもよるが、周囲の騒音レベルが多少高くしても、或いは車両から比較的離れているときでも、よく聞き取ることができる。また、昼間などの明るい環境下でも、ランプの点滅確認とは違い容易に聴覚することができる。もちろん、従来の動作音やランプ点滅方式と併用すれば、より高い認識効果が得られる。なお、音圧レベルの調整は、本体ユニット４００の一部に表出する増幅器２４０に内蔵させた可変抵抗器の調整部４３０を回転操作することにより行うことができる。
【００２９】
上記メモリー部２２１やメモリー部２２２への警報音声の保存は、警報音声の入力の都度、それまでの保存デジタル音声データが書き換えられても、特に問題はない。しかし、ユーザーは同一音声警報の長期使用時には飽きることもあり、また、予め複数の警報音声が保存されていれば、より高い利便性が得られる。
【００３０】
これに対応するには、例えば図３（Ａ），（Ｂ）に示すように、予めメモリー部２２１（ロックメモリー部ＭＬ　）、及びメモリー部２２２（アンロックメモリー部ＭＵＬ）の部分に、ほぼ対になった複数の警報音声（デジタル音声データ）を保存させるとよい。例えば上記の「ドアロックを解除しました」と「ドアロックを解除しました」の他に、「ロック完了」と「ロック解除」、「バイバイ」と「こんにちは」、「ドアロックオン」と「ドアロックオフ」、「音楽（特定歌手の歌謡、クラシックや映画音楽などのメロデー）」と「音楽（異なる特定歌手の歌謡、異なるクラシックや映画音楽などのメロデー）」などである。
【００３１】
この場合、例えば図４に示すように、補助録音ユニット２８０の部分に新たにマルチ音声データ保存用の切換スイッチ２８５とマルチ音声データ選択用の切換スイッチ２８６を設ける。ここで、マルチ音声データ保存用の切換スイッチ２８５が操作される（例えばオン時）と、その操作信号がコントローラ２６０に入力される。このオン信号により、上記と同様の警報音声の入力操作を行えば、図３（Ａ），（Ｂ）に示すように、ロックメモリー部ＭＬ　及びアンロックメモリー部ＭＵＬの部分に複数のデジタル音声データを順次保存することができる。
【００３２】
このようにして保存された複数のデジタル音声データは、例えばマルチ音声データ選択用の切換スイッチ２８６の操作回数により選択することができる。
つまり、この切換スイッチ２８６の操作回数は、コントローラ２６０に入力されるため、このコントローラ２６０により、図３（Ａ），（Ｂ）に示したロックメモリー部ＭＬ　及びアンロックメモリー部ＭＵＬの格納番号（ＮＯ）に対応した音声内容をソフト的に選択することができる。そして、最後に選択した音声内容を警報音声の規定値として設定すればよい。
【００３３】
図５は、本発明に係るキーレス装置における音声アンサーバック装置の他の実施例を示したものである。この装置では、リモコン１１０の操作回数を検出する操作回数検出部６００を設け、短時間内、例えば２秒程度の内に所定の操作回数、例えば２回の操作回数があったとき、音声警報を停止させるものである。
【００３４】
つまり、操作回数検出部６００による検出信号をコントローラ２６０に入力させ、この入力データに基づいてコントローラ２６０により音声警報を停止させることができる。
【００３５】
というのは、深夜のマンション駐車場、ホテルや公共施設の地下駐車場などの場合、音声警報音が周囲に大きく反響する恐れがあるからである。このような状況下において、ユーザーが短時間内に２回のリモコン操作を行えば、意識的に音声警報を停止させることができ、他人への迷惑を解消することができる。
【００３６】
また、通常音声警報を停止状態にしておき、音声警報を求めるときに、やはり操作回数検出部６００により短時間内のリモコン１１０の操作回数を検出し、この場合だけ音声警報を発生させることもできる。
【００３７】
なお、上記実施例では、リモコン１１０は２個の操作ボタンがあって、ロック信号ＳＬ　とアンロック信号ＳＵＬを送信する方式のものであったが、本発明はこれに限定されない。操作ボタンが１個で押圧の都度切り換わる方式のものでも、これをロック・アンロック判別部１３０で判別すれば対応することができる。
【００３８】
【発明の効果】
以上の説明から明らかなように、本発明に係る音声アンサーバック装置によると、次のような優れた効果が得られる。
【００３９】
（１）先ず、請求項１記載の本発明のように、キーレス装置の施解錠時に予め格納されているメモリー部のデジタル音声データをアナログ音声データに変換して音声警報を発するようにすれば、周囲の騒音レベルが高かったり、ユーザーが車両から比較的離れているときでも、ユーザーは確実に車両ドアのロック・アンロック状態を知ることができる。勿論、ランプ点滅方式の場合のように、ユーザーが車両ランプ部分を注視する必要も特になく、また、昼間などの明るい環境下ではも何ら問題なく聴覚することができる。
【００４０】
（２）また、請求項２記載の本発明のように、音声符号化部、メモリー部、音声復号化部、スピーカ、制御用のコントローラからなる場合、上記同様、ユーザーは確実に車両ドアのロック・アンロック状態を知ることができる一方、ユーザーは好みに応じた警報音声を適宜組み込むことができる。これにより、同一音声警報の長期使用によるユーザーの飽きの防止効果が得られる。また、ユーザーの好みに応じた警報音声により、より高い認識効果が得られる。
【００４１】
（３）請求項３記載の本発明のように、メモリー部を、施錠時のデジタル音声データを保存するロックメモリー部と解錠時のデジタル音声データを保存するアンロックメモリー部に区分した場合、両部分に「ドアをロックしました」や「ドアロックを解除しました」というような対態様の警報音声を保存することができる。勿論、複数の警報音声の保存に対しても、容易に対応することができる。
【００４２】
（４）請求項４記載の本発明のように、外付けの補助録音ユニットを介して、外部の音声データ供給機器からの音声を音声符号化部に入力させる場合、ユーザーは補助録音ユニットを手元において使用することができるため、手軽な警報音声の保存が可能となる。勿論、本体ユニットと分離されているため、本体ユニットの省スペース化が得られると同時に、不使用時にダッシュボード部分の収納部などに入れておくことができ、特に邪魔になることもない。
【００４３】
（５）請求項５記載の本発明のように、補助録音ユニットが、ケーブル用の接続部とメモリー切換部とメモリー切換状態を表示する表示部とを有する場合、メモリー切換部により、警報音声の音声長さに合わせて、かつロックメモリー部やアンロックメモリー部に振り替えて保存することができる。その際、メモリー切換状態を表示する表示部があると、ユーザーは表示部の発光色を視認しながら間違うことなく、確実に保存作業を行うことができる。
【００４４】
（６）請求項６記載の本発明のように、補助録音ユニットとスピーカ間に警報発生テストラインを付設して、外部の音声データ供給機器からの音声入力時テスト音声出力する場合、ユーザーは聴覚的に警報音声の状態を確認しながら保存することができるため、間違いのない、楽な作業が可能となる。
【００４５】
（７）請求項７記載の本発明のように、補助録音ユニットにマルチ音声データ保存用の切換スイッチを設けて、メモリー部に複数のデジタル音声データを保存する一方、補助録音ユニットにマルチ音声データ選択用の操作切換スイッチを設けて、適宜デジタル音声データを選択する場合、上記のように、ロックメモリー部とアンロックメモリー部の部分にバラエティーに富んだ複数の警報音声を保存することができる。これにより、同一音声警報の長期使用によるユーザーの飽きの防止効果が得られる。また、ユーザーの好みに応じた警報音声により、より高い認識効果が得られる。勿論、複数の警報音声の切り換え使用も簡単にできるため、高い利便性が得られる。
【００４６】
（８）請求項８又は９記載の本発明のように、リモコンの操作回数を検出する操作回数検出部を設け、短時間内に所定の操作回数があったとき、音声警報を停止させたり、音声警報を発生させる場合、ユーザーは周囲の状況を考慮して自らの意思で、最適の状態を選択することができる。
【図面の簡単な説明】
【図１】本発明に係る音声アンサーバック装置をキーレス装置に組み混んだ一実施例を示したブロック図である。
【図２】本発明に係る音声アンサーバック装置のユニント構成を示した斜視図である。
【図３】本発明で用いるメモリー部に保存される複数の警報音声例を示したもので、（Ａ）はロックメモリー側、（Ｂ）はアンロックメモリー側の例である。
【図４】メモリー部に複数の警報音声を収納保存する場合の補助録音ユニットの例を示したである。
【図５】本発明に係る音声アンサーバック装置をキーレス装置に組み混んだ他の実施例を示したブロック図である。
【符号の説明】
１００　　　　　　　　キーレス装置
１１０　　　　　　　　リモコン
１３０　　　　　　　　ロック・アンロック判別部
１４０　　　　　　　　ドアロックアクチュエータ制御部
１５０　　　　　　　　ドアロックアクチュエータ
２００　　　　　　　　音声アンサーバック装置
２１０　　　　　　　　音声符号化部
２２１〜２　　　　　　メモリー部
２３０　　　　　　　　音声復号化部
２４０　　　　　　　　増幅器
２５０　　　　　　　　スピーカ
２６０　　　　　　　　コントローラ
２８０　　　　　　　　補助録音ユニット
２８１　　　　　　　　ケーブル用の接続部
２８２　　　　　　　　メモリー切換部
２８３　　　　　　　　表示部
２８５　　　　　　　　マルチ音声データ保存用の切換スイッチ
２８６　　　　　　　　マルチ音声データ選択用の切換スイッチ
２９０　　　　　　　　警報発生テストライン
３１０　　　　　　　　音声データ供給機器
３２０　　　　　　　　マイクロホン
６００　　　　　　　　操作回数検出部
【図１】
2004019334.tif 000003
【図２】
2004019334.tif 000004
【図３】
2004019334.tif 000005
【図４】
2004019334.tif 000006
【図５】
2004019334.tif 000007